(57)【要約】【課題】背面側保持部材の剛性が低下するのを抑制することが可能な表示装置を提供する。【解決手段】この液晶テレビジョン装置（表示装置）１００は、光源８ａ、表示部２ａ、反射シート１０、導光板１２および光学シート１３を背面側から保持する樹脂製のリアフレーム４を含む表示パネル２と、樹脂製のリアフレーム４に取り付けられ、電源基板６ａおよび信号処理基板６ｂが取り付けられる板金製の基板取付部材５とを備え、少なくとも樹脂製のリアフレーム４によって後部筐体が構成されている。板金製の基板取付部材５には、絞り部５ａが形成されているとともに、樹脂製のリアフレーム４は、板金製の基板取付部材５の絞り部５ａに対応する部分に、絞り部５ａに対応する凸部４ｂを含む。【選択図】図３
2014107250.tif 000002
【特許請求の範囲】
【請求項１】
光源、表示セルおよび光学部材を背面側から保持する樹脂製の背面側保持部材を含む表示パネルと、
前記樹脂製の背面側保持部材に取り付けられ、回路基板が取り付けられる板金製の基板取付部材とを備え、
少なくとも前記樹脂製の背面側保持部材によって後部筐体が構成されており、
前記板金製の基板取付部材は、第１凸部からなる絞り部を含むとともに、前記樹脂製の背面側保持部材は、前記板金製の基板取付部材の前記絞り部に対応する部分に、前記第１凸部に対応する第２凸部を含む、表示装置。
【請求項２】
前記樹脂製の背面側保持部材は、開口または切欠きからなる領域を含み、
前記板金製の基板取付部材は、前記樹脂製の背面側保持部材の前記開口または切欠きからなる領域に配置されており、
前記第１凸部からなる前記絞り部は、前記板金製の基板取付部材の外周部に配置されており、
前記第２凸部は、前記板金製の基板取付部材の外周部に対応する前記樹脂製の背面側保持部材の部分に配置されている、請求項１に記載の表示装置。
【請求項３】
前記背面側保持部材の前記開口または切欠きからなる領域に配置され、前記背面側保持部材の背面を露出させた状態で前記基板取付部材を背面側から覆う樹脂製のカバー部材をさらに備え、
前記樹脂製の背面側保持部材と前記樹脂製のカバー部材とによって前記後部筐体が構成されている、請求項２に記載の表示装置。
【請求項４】
前記回路基板は、前記板金製の基板取付部材を介して接地されている、請求項１〜３のいずれか１項に記載の表示装置。
【請求項５】
前記背面側保持部材の前記第２凸部が形成された部分以外の部分には、溝状の凹部が形成されており、
前記溝状の凹部の内側には、前記溝状の凹部と交差する方向に延びる補強リブが形成されている、請求項１〜４のいずれか１項に記載の表示装置。
【請求項６】
前記第１凸部からなる前記絞り部は、テーパ状の側壁を有する、請求項１〜５のいずれか１項に記載の表示装置。
【請求項７】
前記後部筐体を構成する前記樹脂製の背面側保持部材の前面には、少なくとも前記光学部材を位置決めするための位置決め部が一体的に形成されており、
前記光学部材は、前記光源からの光を前記表示セル側に反射する反射シートと、前記反射シートの表面に配置され、前記光源からの光を前記表示セル側に導光する導光板とを含み、
前記位置決め部は、前記反射シートおよび前記導光板を周状に囲むように配置され、前記反射シートおよび前記導光板を所定の位置に保持するための位置決めリブを含む、請求項１〜６のいずれか１項に記載の表示装置。
【請求項８】
前記光学部材は、前記表示セルと前記導光板との間に配置される光学シートをさらに含み、
前記位置決め部は、前記光学シートに形成された第１穴部に挿入されるように前記背面側保持部材の前面から前記光学シート側に突出するように形成され、前記光学シートを位置決めするための光学シート位置決め部を含む、請求項７に記載の表示装置。
【請求項９】
前記表示パネルは、前記表示セルおよび前記光学部材を前面側から保持するベゼルと、前記ベゼルと前記背面側保持部材との間に配置される樹脂フレームとをさらに含み、
前記樹脂製の背面側保持部材の前面には、前記ベゼルを前記樹脂フレームを介して前記背面側保持部材に共締めするためのベゼル締結部がさらに一体的に形成されている、請求項７または８に記載の表示装置。
【請求項１０】
前記表示パネルは、前記光源から発生する熱を放熱するための板金製の放熱部材をさらに含み、
前記樹脂製の背面側保持部材の前面には、前記放熱部材に形成された第２穴部に挿入されるように前記背面側保持部材の前面から前記放熱部材側に突出するように形成され、前記放熱部材を位置決めするための放熱部材位置決め部と、前記放熱部材を前記背面側保持部材にネジ止めするための放熱部材締結部とがさらに一体的に形成されている、請求項７〜９のいずれか１項に記載の表示装置。
【発明の詳細な説明】
【技術分野】
【０００１】
この発明は、表示装置に関し、特に、表示パネルを備えた表示装置に関する。
【背景技術】
【０００２】
従来、表示パネルを備えた表示装置が知られている（たとえば、特許文献１参照）。
【０００３】
上記特許文献１には、映像が表示される表示パネルと、表示パネルを保持するためのキャビネットとを備えた表示装置が開示されている。この表示装置では、表示パネルは、種々の光学部材を含み、種々の光学部材は、板状の背面側保持部材により背面側から保持されていると考えられる。
【０００４】
ここで、上記特許文献１に開示されたような従来の表示装置では、光学部材を保持するための背面側保持部材が樹脂により構成されている場合がある。
【先行技術文献】
【特許文献】
【０００５】
【特許文献１】国際公開ＷＯ２０１０／０８６９３８号公報
【発明の概要】
【発明が解決しようとする課題】
【０００６】
しかしながら、上記のような従来の表示装置において、背面側保持部材が樹脂により構成されている場合には、背面側保持部材の剛性が低下しやすいという問題点がある。
【０００７】
この発明は、上記のような課題を解決するためになされたものであり、この発明の１つの目的は、背面側保持部材の剛性が低下するのを抑制することが可能な表示装置を提供することである。
【課題を解決するための手段】
【０００８】
上記目的を達成するために、この発明の一の局面による表示装置は、光源、表示セルおよび光学部材を背面側から保持する樹脂製の背面側保持部材を含む表示パネルと、樹脂製の背面側保持部材に取り付けられ、回路基板が取り付けられる板金製の基板取付部材とを備え、少なくとも樹脂製の背面側保持部材によって後部筐体が構成されており、板金製の基板取付部材は、第１凸部からなる絞り部を含むとともに、樹脂製の背面側保持部材は、板金製の基板取付部材の絞り部に対応する部分に、第１凸部に対応する第２凸部を含む。
【０００９】
この発明の一の局面による表示装置では、上記のように、樹脂製の背面側保持部材に取り付けられる板金製の基板取付部材を設けることによって、樹脂製の背面側保持部材が板金製の基板取付部材により補強されるので、樹脂製の背面側保持部材の剛性が低下するのを抑制することができる。これにより、樹脂製の背面側保持部材によって後部筐体を構成する場合にも、後部筐体として必要な剛性を容易に確保することができる。また、板金製の基板取付部材および樹脂製の背面側保持部材にそれぞれ第１凸部および第２凸部を設けることによって、板金製の基板取付部材および樹脂製の背面側保持部材のそれぞれの剛性をより高めることができる。また、背面側保持部材の第２凸部を基板取付部材の第１凸部に対応するように形成することによって、第１凸部と第２凸部とが互いに接触するように背面側保持部材と基板取付部材とを組み付けることができるので、基板取付部材と背面側保持部材とを強固に固定することができる。また、背面側保持部材を後部筐体として用いることによって、背面側保持部材を背面側からさらに覆う後部筐体を別途設ける場合と異なり、部品点数を削減することができるとともに、構造を簡素化することができる。
【００１０】
上記一の局面による表示装置において、好ましくは、樹脂製の背面側保持部材は、開口または切欠きからなる領域を含み、板金製の基板取付部材は、樹脂製の背面側保持部材の開口または切欠きからなる領域に配置されており、第１凸部からなる絞り部は、板金製の基板取付部材の外周部に配置されており、第２凸部は、板金製の基板取付部材の外周部に対応する樹脂製の背面側保持部材の部分に配置されている。このように構成すれば、背面側保持部材の開口または切欠きからなる領域に板金製の基板取付部材を取り付けるだけで、容易に、第１凸部と第２凸部とが互いに接触するように背面側保持部材と基板取付部材とを組み付けることができる。
【００１１】
この場合、好ましくは、背面側保持部材の開口または切欠きからなる領域に配置され、背面側保持部材の背面を露出させた状態で基板取付部材を背面側から覆う樹脂製のカバー部材をさらに備え、樹脂製の背面側保持部材と樹脂製のカバー部材とによって後部筐体が構成されている。このように構成すれば、樹脂製の背面側保持部材のみによって後部筐体が構成されている場合と異なり、樹脂製のカバー部材によって、後部筐体の剛性をより高めることができる。
【００１２】
上記一の局面による表示装置において、好ましくは、回路基板は、板金製の基板取付部材を介して接地されている。このように構成すれば、樹脂製の背面側保持部材を補強するための板金製の基板取付部材に回路基板を取り付けるだけで、容易に、回路基板を接地することができる。
【００１３】
上記一の局面による表示装置において、好ましくは、背面側保持部材の第２凸部が形成された部分以外の部分には、溝状の凹部が形成されており、溝状の凹部の内側には、溝状の凹部と交差する方向に延びる補強リブが形成されている。このように構成すれば、溝状の凹部および補強リブによって、樹脂製の背面側保持部材の剛性をより一層高めることができる。
【００１４】
上記一の局面による表示装置において、好ましくは、第１凸部からなる絞り部は、テーパ状の側壁を有する。このように構成すれば、絞り部が基板取付部材に対して直立する側壁を有する場合と異なり、絞り部の側壁がテーパ状に形成されている分、基板取付部材を平面的に見た場合における絞り部の平面積が大きくなるので、基板取付部材の剛性をさらに高めることができる。
【００１５】
上記一の局面による表示装置において、好ましくは、後部筐体を構成する樹脂製の背面側保持部材の前面には、少なくとも光学部材を位置決めするための位置決め部が一体的に形成されており、光学部材は、光源からの光を表示セル側に反射する反射シートと、反射シートの表面に配置され、光源からの光を表示セル側に導光する導光板とを含み、位置決め部は、反射シートおよび導光板を周状に囲むように配置され、反射シートおよび導光板を所定の位置に保持するための位置決めリブを含む。このように構成すれば、背面側保持部材が板金により構成されている場合と異なり、複数回のプレス加工などにより背面側保持部材に位置決めのための凹凸を形成することなく、１回の樹脂成形により、光学部材を位置決めするための位置決め部を背面側保持部材に一体的に形成することができる。これにより、光学部材を位置決めするための位置決め部を背面側保持部材に簡単に一体的に形成することができる。また、位置決め部を背面側保持部材に一体的に形成することによって、光学部材を位置決めするための専用の部品を別途設ける必要がないので、これによっても、部品点数が増加するのを抑制することができる。また、反射シートおよび導光板を周状に囲むように配置された位置決めリブを位置決め部として設けることによって、位置決めリブにより構成された領域（反射シートおよび導光板を周状に囲む領域）内に反射シートおよび導光板を配置するだけで、容易に、反射シートおよび導光板を位置決めすることができる。
【００１６】
この場合、好ましくは、光学部材は、表示セルと導光板との間に配置される光学シートをさらに含み、位置決め部は、光学シートに形成された第１穴部に挿入されるように背面側保持部材の前面から光学シート側に突出するように形成され、光学シートを位置決めするための光学シート位置決め部を含む。このように構成すれば、光学シート位置決め部を光学シートの第１穴部に挿入するだけで、容易に、光学シートを位置決めすることができる。
【００１７】
上記樹脂製の背面側保持部材に位置決め部が一体的に形成された表示装置において、好ましくは、表示パネルは、表示セルおよび光学部材を前面側から保持するベゼルと、ベゼルと背面側保持部材との間に配置される樹脂フレームとをさらに含み、樹脂製の背面側保持部材の前面には、ベゼルを樹脂フレームを介して背面側保持部材に共締めするためのベゼル締結部がさらに一体的に形成されている。このように構成すれば、位置決め部に加えて、ベゼル締結部も、１回の樹脂成形により、背面側保持部材の前面に簡単に一体的に形成することができる。また、ベゼル締結部を用いてベゼルと樹脂フレームとを背面側保持部材に共締めするだけで、容易に、ベゼルと背面側保持部材との間に樹脂フレーム、表示セルおよび光学部材を挟み込んで保持することができる。
【００１８】
上記樹脂製の背面側保持部材に位置決め部が一体的に形成された表示装置において、好ましくは、表示パネルは、光源から発生する熱を放熱するための板金製の放熱部材をさらに含み、樹脂製の背面側保持部材の前面には、放熱部材に形成された第２穴部に挿入されるように背面側保持部材の前面から放熱部材側に突出するように形成され、放熱部材を位置決めするための放熱部材位置決め部と、放熱部材を背面側保持部材にネジ止めするための放熱部材締結部とがさらに一体的に形成されている。このように構成すれば、位置決め部に加えて、放熱部材位置決め部および放熱部材締結部も、１回の樹脂成形により、背面側保持部材の前面に簡単に一体的に形成することができる。また、放熱部材位置決め部を放熱部材の第２穴部に挿入した状態で、放熱部材締結部を用いて放熱部材を背面側保持部材にネジ止めするだけで、容易に、放熱部材を位置決めした状態で背面側保持部材に固定することができる。
【発明の効果】
【００１９】
本発明によれば、上記のように、背面側保持部材の剛性が低下するのを抑制することができる。
【図面の簡単な説明】
【００２０】
【図１】本発明の一実施形態による液晶テレビジョン装置の全体構成を示した斜視図である。
【図２】本発明の一実施形態による液晶テレビジョン装置の背面図である。
【図３】本発明の一実施形態による液晶テレビジョン装置を前方から見た分解斜視図である。
【図４】本発明の一実施形態による液晶テレビジョン装置を後方から見た分解斜視図である。
【図５】本発明の一実施形態による液晶テレビジョン装置の水平方向に沿った模式的な断面図である。
【図６】本発明の一実施形態による液晶テレビジョン装置の基板取付部材の背面図である。
【図７】本発明の一実施形態による液晶テレビジョン装置のリアフレームの背面図である。
【図８】本発明の一実施形態による液晶テレビジョン装置のリアフレームの溝状の凹部の内側に形成された補強リブを拡大して示した斜視図である。
【図９】本発明の一実施形態による液晶テレビジョン装置のリアフレームの前面図である。
【図１０】本発明の一実施形態による液晶テレビジョン装置のリアフレームの前面にヒートシンクが取り付けられた状態を示した前面図である。
【図１１】本発明の一実施形態による液晶テレビジョン装置のリアフレームの前面にヒートシンク、反射シートおよび導光板が配置された状態を示した前面図である。
【図１２】本発明の一実施形態による液晶テレビジョン装置のリアフレームの位置決めリブを拡大して示した斜視図である。
【図１３】本発明の一実施形態による液晶テレビジョン装置のリアフレームの光学シート位置決め部を拡大して示した斜視図である。
【図１４】本発明の一実施形態による液晶テレビジョン装置のリアフレームのベゼル締結部を拡大して示した分解斜視図である。
【発明を実施するための形態】
【００２１】
以下、本発明の実施形態を図面に基づいて説明する。
【００２２】
図１〜図１４を参照して、本発明の一実施形態による液晶テレビジョン装置１００の構成について説明する。なお、液晶テレビジョン装置１００は、本発明の「表示装置」の一例である。
【００２３】
図１および図２に示すように、液晶テレビジョン装置１００は、正面側（矢印Ｙ１方向側）から見て矩形形状を有するとともに枠状に形成された前部筐体１と、映像が表示される表示セル（液晶セル）からなる表示部２ａを有する表示パネル２と、液晶テレビジョン装置１００を下方（矢印Ｚ２方向側）から支持するスタンド部材３とを備える。なお、前部筐体１およびスタンド部材３は、共に樹脂製である。
【００２４】
また、図２〜図４に示すように、前部筐体１の背面側（矢印Ｙ２方向側）には、表示部２ａを背面側から保持する樹脂製のリアフレーム４が配置されている。なお、リアフレーム４は、本発明の「背面側保持部材」の一例である。ここで、本実施形態では、図３および図４に示すように、リアフレーム４は、前部筐体２に対応する矩形形状の外形を有する枠状に形成されている。具体的には、リアフレーム４の中央部近傍（中央部よりもやや下側（矢印Ｚ２方向側）の部分）には、後述する板金製の基板取付部材５が取り付けられる矩形形状の開口４ａが形成されている。
【００２５】
図３および図４に示すように、基板取付部材５は、リアフレーム４の開口４ａに対応する矩形形状を有する。この基板取付部材５の背面（矢印Ｙ２方向側の面）には、電源基板６ａおよび信号処理基板６ｂが左右方向（Ｘ方向）に並んで取り付けられている。また、電源基板６ａおよび信号処理基板６ｂは、基板取付部材５の背面にネジ部材３１を介して固定（締結）されることにより、基板取付部材５を介して接地されている。なお、電源基板６ａおよび信号処理基板６ｂは、共に、本発明の「回路基板」の一例である。
【００２６】
ここで、本実施形態では、図３、図４および図６に示すように、基板取付部材５の外周部（上下方向（Ｚ方向）の両側で水平方向（Ｘ方向）に延びる一対の端辺近傍の部分）には、リアフレーム４側（矢印Ｙ２方向側）に突出する凸部からなる絞り部５ａが形成されている。この絞り部５ａは、テーパ状の側壁５ｂを有する。また、図３、図４および図７に示すように、基板取付部材５の絞り部５ａが形成された外周部に対応するリアフレーム４の部分（開口４ａからなる矩形形状の領域Ｒの上下方向の両側で水平方向に延びる一対の端辺近傍の部分）には、カバー部材７側（矢印Ｙ２方向側）に突出する凸部４ｂが形成されている。なお、絞り部５ａおよび凸部４ｂは、それぞれ、本発明の「第１凸部」および「第２凸部」の一例である。
【００２７】
図３および図４に示すように、基板取付部材５の絞り部５ａと、リアフレーム４の凸部４ｂとは、互いに対応するように構成されている。すなわち、基板取付部材５の絞り部５ａの背面側（矢印Ｙ２方向側）の部分と、リアフレーム４の凸部４ｂの前面側（矢印Ｙ１方向側）の部分とは、リアフレーム４の開口４ａからなる領域Ｒに基板取付部材５が取り付けられた状態で、互いに当接するように構成されている。これにより、基板取付部材５は、リアフレーム４の開口４ａを前面側（矢印Ｙ１方向側）から塞ぐようにリアフレーム４に取り付けられている。
【００２８】
また、本実施形態では、図４、図７および図８に示すように、リアフレーム４の背面（矢印Ｙ２方向側の面）の凸部４ｂが形成された部分以外の部分（凸部４ｂよりも外周側の部分）には、溝状の凹部４ｃが複数形成されている。そして、溝状の凹部４ｃの内側には、溝状の凹部４ｃと交差する方向に延びる補強リブ４ｄが形成されている。なお、図８は、図７に示したリアフレーム４の矩形形状の領域Ｒの左側（矢印Ｘ２方向側）の端辺の上下方向（Ｚ方向）の中央部近傍の外側（矢印Ｘ２方向側）に形成された凹部４ｃおよび補強リブ４ｄを拡大して示した斜視図である。
【００２９】
また、本実施形態では、図３、図５および図９に示すように、リアフレーム４の前面（矢印Ｙ１方向側の面）にも、リアフレーム４の剛性を高めるための補強リブ４ｅが複数形成されている。これら複数の補強リブ４ｅは、図９に示すように、リアフレーム４の前面において格子状に交差するように配置されている。
【００３０】
図３および図４に示すように、リアフレーム４の中央部近傍の開口４ａからなる矩形形状の領域Ｒには、樹脂製のカバー部材７が背面側（矢印Ｙ２方向側）から取り付けられている。このカバー部材７は、リアフレーム４よりも小さい矩形形状を有する。これにより、カバー部材７は、リアフレーム４の背面を露出させた状態で基板取付部材５を背面側から覆うように構成されている。このように、本実施形態では、リアフレーム４とカバー部材７とによって、前部筐体１に対応する後部筐体が構成されている。なお、前部筺体１は、ネジ部材（図示せず）によってリアフレーム４に固定されている。
【００３１】
また、図３〜図５および図１０に示すように、リアフレーム４の前面（矢印Ｙ１方向側の面）には、ＬＥＤ（Ｌｉｇｈｔ  Ｅｍｉｔｔｉｎｇ  Ｄｉｏｄｅ）８ａを含む後述する光源部８が取り付けられた板金製のヒートシンク９が配置されている。このヒートシンク９は、光源部８側から基板取付部材５側まで水平方向（Ｘ方向）に延びるとともに、リアフレーム４の開口４ａのヒートシンク９側（矢印Ｘ２方向側）の端辺に沿って上下方向（Ｚ方向）に延びるように形成されている。また、ヒートシンク９の前面には、後述する反射シート１０を背面側から支持するための弾性支持部材１１が配置されている。なお、ＬＥＤ８ａは、本発明の「光源」の一例であるとともに、ヒートシンク９は、本発明の「放熱部材」の一例である。
【００３２】
ここで、本実施形態では、図３、図４および図１０に示すように、ヒートシンク９は、複数（５つ）のネジ部材３２によりリアフレーム４に固定（ネジ止め）されている。具体的には、図９に示すように、リアフレーム４の前面（矢印Ｙ１方向側）には、ヒートシンク９をリアフレーム４に対して位置決めするためのヒートシンク位置決め部４ｆと、ヒートシンク９をリアフレーム４に対してネジ止めするためのヒートシンクネジ止め部４ｇとが一体的に形成されている。なお、ヒートシンク位置決め部４ｆおよびヒートシンクネジ止め部４ｇは、それぞれ、本発明の「放熱部材位置決め部」および「放熱部材締結部」の一例である。
【００３３】
図３および図１０に示すように、ヒートシンク位置決め部４ｆは、ヒートシンク９に形成された矩形形状の位置決め穴９ａに挿入されるように、リアフレーム４の前面からヒートシンク９側（矢印Ｙ１方向側）に突出するように形成されている。このヒートシンク位置決め部４ｆは、後述する光学シート位置決め部４ｉ（図１３参照）と同様に、２つの幅狭のリブが十字に交差した状態でリアフレーム４の前面からヒートシンク９側に延びることにより構成されている。また、ヒートシンク位置決め部４ｆは、ヒートシンク９の光源部８側（矢印Ｘ２方向側）の端部近傍において上下方向（Ｚ方向）に間隔を隔てて３つ設けられている。なお、位置決め穴９ａは、本発明の「第２穴部」の一例である。
【００３４】
また、図３および図９に示すように、ヒートシンクネジ止め部４ｇは、ヒートシンク９に形成されたネジ挿入穴９ｂ（図３および図４参照）に対応するネジ穴により構成されている。このヒートシンクネジ止め部４ｇは、ヒートシンク９の上記ヒートシンク位置決め部４ｆの近傍に３つ配置されているとともに、ヒートシンク９の光源部８とは反対側（矢印Ｘ１方向側）の端部の中央部近傍に２つ配置されている。そして、図３および図１０に示すように、これら複数（合計５つ）のヒートシンクネジ止め部４ｇの各々に、ヒートシンク９のネジ挿入穴９ｂに挿入されたネジ部材３２が螺合するように構成されている。
【００３５】
図３〜図５に示すように、ヒートシンク９の前面側（矢印Ｙ１方向側）でかつ前部筐体１の背面側（矢印Ｙ２方向側）には、ＬＥＤ８ａからの光を表示部２ａ側に反射する反射シート１０と、ＬＥＤ８ａからの光を表示部２ａ側に導光する導光板１２と、光拡散シートやレンズシートなどからなる複数（３枚）の光学シート１３と、矩形形状を有する枠状に形成された樹脂フレーム１４と、矩形形状を有する表示部２ａと、矩形形状を有する表示部２ａの４辺に沿って延びる４つのベゼル１５とが配置されている。なお、反射シート１０、導光板１２および光学シート１３は、それぞれ、本発明の「光学部材」の一例である。
【００３６】
図３、図５および図１０に示すように、光源部８は、光を発するＬＥＤ８ａと、ＬＥＤ８ａが実装されたＬＥＤ基板８ｂとを含むように構成されている。この光源部８は、ヒートシンク９の基板取付部材５とは反対側（矢印Ｘ２方向側）に配置されている。具体的には、光源部８は、矩形形状を有するリアフレーム４の上下方向に延びる端辺（矢印Ｘ２方向側の端部においてＺ方向に延びる辺）に沿って配置されている。すなわち、本実施形態による液晶テレビジョン装置１００は、光源部８が側方に配置されたサイドエッジライト型の表示装置である。
【００３７】
図１０に示すように、ＬＥＤ８ａは、ＬＥＤ基板８ｂの導光板１２側（矢印Ｘ１方向側）の表面に、ＬＥＤ基板８ｂの延びる方向（Ｚ方向）に沿って間隔を隔てて複数実装されている。これにより、図５に示すように、複数のＬＥＤ８ａは、それぞれ、矩形形状を有する導光板１２のヒートシンク９側（矢印Ｘ２方向側）の端面に光を出射するように構成されている。また、図５および図１０に示すように、ＬＥＤ基板８ｂのＬＥＤ８ａとは反対側（矢印Ｘ２方向側）の裏面は、放熱テープ８ｃを介してヒートシンク９に取り付けられている。これにより、ヒートシンク９は、放熱テープ８ｃを介して光源部８（ＬＥＤ８ａおよびＬＥＤ基板８ｂ）と接触した状態で配置されている。なお、ＬＥＤ８ａは、液晶テレビジョン装置１００の通常の使用状態（ＬＥＤ８ａが発光して導光板１２に光を照射することにより表示部２ａに映像が表示されている状態）において熱が発生するように構成されている。
【００３８】
ここで、本実施形態では、図３および図４に示すように、４つのベゼル１５は、複数（１２個）のネジ部材３３によってリアフレーム４の前面（矢印Ｙ１方向側の面）に固定されている。これにより、光源部８が取り付けられたヒートシンク９、反射シート１０、導光板１２、３枚の光学シート１３、樹脂フレーム１４および表示部２ａは、４つのベゼル１５とリアフレーム４との間に挟み込まれて保持されている。その結果、本実施形態では、光源部８が取り付けられたヒートシンク９と、反射シート１０と、導光板１２と、３枚の光学シート１３と、樹脂フレーム１４と、表示部２ａと、４つのベゼル１５と、リアフレーム４とによって、１つのモジュールとしての表示パネル２が構成されている。
【００３９】
具体的には、図３および図１２に示すように、リアフレーム４の前面（矢印Ｙ１方向側の面）には、反射シート１０と、反射シート１０の表面（矢印Ｙ１方向側の面）に配置される導光板１２を保持するための位置決めリブ４ｈが一体的に形成されている。この位置決めリブ４ｈは、図９〜図１１に示すように、矩形形状の外形を有する反射シート１０および導光板１２の外周部（ヒートシンク９側（矢印Ｘ２方向側）の端辺以外の３つの端辺）を周状に囲むように配置されている。なお、位置決めリブ４ｈは、本発明の「位置決め部」の一例である。
【００４０】
また、図１１および図１２に示すように、反射シート１０は、反射シート１０の外周部近傍（ヒートシンク９側の端辺以外の３つの端辺近傍）が前方（矢印Ｙ１方向側）に折り返されることにより形成された折り返し部１０ａを有する。この折り返し部１０ａは、反射シート１０の表面（矢印Ｙ１方向側）に配置された導光板１２（図１１参照）の外周面から光が漏れるのを抑制する機能を有する。
【００４１】
ここで、図１２に示すように、リアフレーム４の前面（矢印Ｙ１方向側）に一体的に形成された上記位置決めリブ４ｈは、反射シート１０の外周部近傍の折り返し部１０ａが外側（図１２では、矢印Ｘ２方向側）に倒れるのを抑制するように構成されている。これにより、図１１に示すように、反射シート１０および導光板１２は、リアフレーム４の前面の所定の位置（位置決めリブ４ｈに囲まれた矩形形状の領域）に位置決めされている。なお、図１２は、図１１の左側（矢印Ｘ１方向側）の端部の上下方向（Ｚ方向）の中央部近傍に形成された位置決めリブ４ｈおよび反射シート１０を拡大して示した図である。この図１２では、図１１と異なり、導光板１２の図示を省略している。
【００４２】
また、図３および図１３に示すように、リアフレーム４の前面（矢印Ｙ１方向側の面）には、３枚の光学シート１３を位置決めするための光学シート位置決め部４ｉが一体的に形成されている。この光学シート位置決め部４ｉは、３枚の光学シート１３の隅部（矢印Ｘ１方向側でかつ矢印Ｚ１方向側の隅部）に形成された長円形状の位置決め穴１３ａに挿入されるように、リアフレーム４の前面から光学シート１３側（矢印Ｙ１方向側）に突出するように形成されている。また、光学シート位置決め部４ｉは、２つの幅狭のリブが十字に交差した状態でリアフレーム４の前面から光学シート１３側に延びることにより構成されている。なお、位置決め穴１３ａは、本発明の「第１穴部」の一例であるとともに、光学シート位置決め部４ｉは、本発明の「位置決め部」の一例である。
【００４３】
また、図３および図１４に示すように、リアフレーム４の前面（矢印Ｙ１方向側の面）には、樹脂フレーム１４を介して４つのベゼル１５をリアフレーム４に共締めするためのベゼルネジ止め部４ｊが一体的に形成されている。このベゼルネジ止め部４ｊは、ベゼル１５に形成されたネジ挿入穴１５ａと、樹脂フレーム１４に形成されたネジ挿入穴１４ａとに対応するネジ穴により構成されている。なお、ベゼルネジ止め部４ｊは、本発明の「ベゼル締結部」の一例である。
【００４４】
ここで、図９〜図１１に示すように、ベゼルネジ止め部４ｊは、リアフレーム４の矩形形状の外周に沿って間隔を隔てて複数（１２個）形成されている。そして、図３および図１４に示すように、これら複数のベゼルネジ止め部４ｊの各々に、ベゼル１５のネジ挿入穴１５ａおよび樹脂フレーム１４のネジ挿入穴１４ａに挿入されたネジ部材３３が螺合するように構成されている。なお、図１４は、図３の奥側（矢印Ｘ１方向側）でかつ下側（矢印Ｚ２方向側）の隅部におけるリアフレーム４のベゼルネジ止め部４ｊ、ベゼル１５のネジ挿入穴１５ａおよび樹脂フレーム１４のネジ挿入穴１４ａを拡大して示した図である。この図１４では、リアフレーム４の前面（矢印Ｙ１方向側の面）に配置される反射シート１０、導光板１２および複数の光学シート１３の図示を省略している。
【００４５】
本実施形態では、上記のように、樹脂製のリアフレーム４に取り付けられる板金製の基板取付部材５を設けることによって、樹脂製のリアフレーム４が板金製の基板取付部材５により補強されるので、樹脂製のリアフレーム４の剛性が低下するのを抑制することができる。これにより、樹脂製のリアフレーム４によって後部筐体を構成する場合にも、後部筐体として必要な剛性を容易に確保することができる。また、基板取付部材５およびリアフレーム４にそれぞれ絞り部５ａおよび凸部４ｂを設けることによって、基板取付部材５およびリアフレーム４のそれぞれの剛性を高めることができる。また、リアフレーム４の凸部４ｂを基板取付部材５の絞り部５ａに対応するように形成することによって、絞り部５ａと凸部４ｂとが互いに接触するようにリアフレーム４と基板取付部材５とを組み付けることができるので、基板取付部材５とリアフレーム４とを強固に固定することができる。また、リアフレーム４を後部筐体として用いることによって、リアフレーム４を背面側からさらに覆う後部筐体を別途設ける場合と異なり、部品点数を削減することができるとともに、構造を簡素化することができる。
【００４６】
また、本実施形態では、上記のように、樹脂製のリアフレーム４に開口４ａからなる領域Ｒを設け、板金製の基板取付部材５を、樹脂製のリアフレーム４の開口４ａからなる領域Ｒに配置する。そして、絞り部５ａを、板金製の基板取付部材５の外周部に配置するとともに、凸部４ｂを、板金製の基板取付部材５の外周部に対応する樹脂製のリアフレーム４の部分に配置する。これにより、リアフレーム４に開口４ａからなる領域Ｒに板金製の基板取付部材５を取り付けるだけで、容易に、絞り部５ａと凸部４ｂとが互いに接触するようにリアフレーム４と基板取付部材５とを組み付けることができる。
【００４７】
また、本実施形態では、上記のように、リアフレーム４の開口４ａからなる領域Ｒに、リアフレーム４の背面を露出させた状態で基板取付部材５を背面側（矢印Ｙ２方向側）から覆う樹脂製のカバー部材７を配置して、樹脂製のリアフレーム４と樹脂製のカバー部材７とによって後部筐体を構成する。これにより、樹脂製のリアフレーム４のみによって後部筐体が構成されている場合と異なり、樹脂製のカバー部材７によって、後部筐体の剛性をより高めることができる。
【００４８】
また、本実施形態では、上記のように、電源基板６ａおよび信号処理基板６ｂを、板金製の基板取付部材５を介して接地する。これにより、樹脂製のリアフレーム４を補強するための板金製の基板取付部材５に電源基板６ａおよび信号処理基板６ｂを取り付けるだけで、容易に、電源基板６ａおよび信号処理基板６ｂを接地することができる。
【００４９】
また、本実施形態では、上記のように、リアフレーム４の凸部４ｂが形成された部分以外の部分（凸部４ｂよりも外周側の部分）に、溝状の凹部４ｃを形成して、溝状の凹部４ｃの内側に、溝状の凹部４ｃと交差する方向に延びる補強リブ４ｄを形成する。これにより、溝状の凹部４ｃおよび補強リブ４ｄによって、樹脂製のリアフレーム４の剛性をより一層高めることができる。
【００５０】
また、本実施形態では、上記のように、絞り部５ａを、テーパ状の側壁５ｂを有するように形成する。これにより、絞り部５ａが基板取付部材５に対して直立する側壁を有する場合と異なり、絞り部５ａの側壁５ｂがテーパ状に形成されている分、基板取付部材５を平面的に見た場合（矢印Ｙ２方向側から見た場合）における絞り部５ａの平面積が大きくなるので、基板取付部材５の剛性をさらに高めることができる。
【００５１】
また、本実施形態では、上記のように、反射シート１０および導光板１２を位置決めするための位置決めリブ４ｈと、光学シート１３を位置決めするための光学シート位置決め部４ｉとを、後部筐体を構成する樹脂製のリアフレーム４の前面（矢印Ｙ１方向側の面）に一体的に形成し、反射シート１０および導光板１２を所定の位置に保持（位置決め）するための位置決めリブ４ｈを、反射シート１０および導光板１２を周状に囲むように配置する。これにより、リアフレーム４が板金により構成されている場合と異なり、複数回のプレス加工などによりリアフレーム４に位置決めのための凹凸を形成することなく、１回の樹脂成形により、反射シート１０および導光板１２を位置決めするための位置決めリブ４ｈと、光学シート１３を位置決めするための光学シート位置決め部４ｉとをリアフレーム４の前面（矢印Ｙ１方向側の面）に一体的に形成することができる。その結果、反射シート１０および導光板１２を位置決めするための位置決めリブ４ｈと、光学シート１３を位置決めするための光学シート位置決め部４ｉとをリアフレーム４に簡単に一体的に形成することができる。また、位置決めリブ４ｈおよび光学シート位置決め部４ｉをリアフレーム４に一体的に形成することによって、反射シート１０、導光板１２および光学シート１３を位置決めするための専用の部品を別途設ける必要がないので、これによっても、部品点数が増加するのを抑制することができる。また、反射シート１０および導光板１２を周状に囲むように配置された位置決めリブ４ｈによって、位置決めリブ４ｈにより構成された領域（反射シート１０および導光板１２を周状に囲む矩形形状の領域）内に反射シート１０および導光板１２を配置するだけで、容易に、反射シート１０および導光板１２を位置決めすることができる。
【００５２】
また、本実施形態では、上記のように、光学シート１３を位置決めするための光学シート位置決め部４ｉを、光学シート１３に形成された位置決め穴１３ａに挿入されるようにリアフレーム４の前面（矢印Ｙ１方向側の面）から光学シート１３側（矢印Ｙ１方向側）に突出するように形成する。これにより、光学シート位置決め部４ｉを光学シート１３の位置決め穴１３ａに挿入するだけで、容易に、光学シート１３を位置決めすることができる。
【００５３】
また、本実施形態では、上記のように、樹脂製のリアフレーム４の前面（矢印Ｙ１方向側の面）に、ベゼル１５と樹脂フレーム１４とをリアフレーム４に共締めするためのベゼルネジ止め部４ｊをさらに一体的に形成する。これにより、位置決めリブ４ｈおよび光学シート位置決め部４ｉに加えて、ベゼルネジ止め部４ｊも、１回の樹脂成形により、リアフレーム４の前面に簡単に一体的に形成することができる。また、ベゼルネジ止め部４ｊを用いてベゼル１５と樹脂フレーム１４とをリアフレーム４に共締めするだけで、容易に、ベゼル１５とリアフレーム４との間に樹脂フレーム１４、表示部２ａ、反射シート１０、導光板１２および光学シート１３を挟み込んで保持することができる。
【００５４】
また、本実施形態では、上記のように、樹脂製のリアフレーム４の前面（矢印Ｙ１方向側の面）に、ヒートシンク９を位置決めするためのヒートシンク位置決め部４ｆと、ヒートシンク９をリアフレーム４にネジ止めするためのヒートシンクネジ止め部４ｇとをさらに一体的に形成し、ヒートシンク位置決め部４ｆを、ヒートシンク９に形成された位置決め穴９ａに挿入されるようにリアフレーム４の前面からヒートシンク９側（矢印Ｙ１方向側）に突出するように形成する。これにより、位置決めリブ４ｈおよび光学シート位置決め部４ｉに加えて、ヒートシンク位置決め部４ｆおよびヒートシンクネジ止め部４ｇも、１回の樹脂成形により、リアフレーム４の前面に簡単に一体的に形成することができる。また、ヒートシンク位置決め部４ｆをヒートシンク９の位置決め穴９ａに挿入した状態で、ヒートシンクネジ止め部４ｇを用いてヒートシンク９をリアフレーム４にネジ止めするだけで、容易に、ヒートシンク９を位置決めした状態でリアフレーム４に固定することができる。
【００５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５６】
たとえば、上記実施形態では、表示装置の一例としての液晶テレビジョン装置に本発明を適用する例を示したが、本発明は、液晶テレビジョン装置以外にも、ＰＣ（Ｐｅｒｓｏｎａｌ  Ｃｏｍｐｕｔｅｒ）用のディスプレイ装置などの一般的な表示装置に適用可能である。
【００５７】
また、上記実施形態では、光源部が側方に配置されたサイドエッジライト型の液晶テレビジョン装置に本発明を適用する例を示したが、本発明は、光源部が後方に配置されたバックライト型の液晶テレビジョン装置にも適用可能である。
【００５８】
また、上記実施形態では、位置決めリブに囲まれた領域内に反射シートおよび導光板を配置することにより、反射シートおよび導光板を位置決めする例を示したが、本発明はこれに限らない。本発明では、反射シートおよび導光板の４隅に対応する位置にのみ形成された位置決めリブを用いて反射シートおよび導光板を位置決めしてもよい。また、反射シートおよび導光板を位置決め可能であれば、リブ以外の位置決め構造を用いてもよい。
【００５９】
また、上記実施形態では、２つの幅狭のリブが十字に交差した状態でリアフレームの前面から光学シート側に突出して延びる光学シート位置決め部を、光学シートの位置決め穴に挿入することにより、光学シートを位置決めする例を示したが、本発明はこれに限らない。本発明では、円柱形状の光学シート位置決め部を用いて光学シートを位置決めしてもよい。また、光学シートを位置決め可能であれば、位置決め部を位置決め穴に挿入する構造以外の位置決め構造を用いてもよい。
【００６０】
同様に、上記実施形態では、２つの幅狭のリブが十字に交差した状態でリアフレームの前面からヒートシンク側に突出して延びるヒートシンク位置決め部を、ヒートシンクの位置決め穴に挿入することにより、ヒートシンクを位置決めする例を示したが、本発明はこれに限らない。本発明では、円柱形状のヒートシンク位置決め部を用いてヒートシンクを位置決めしてもよい。また、ヒートシンクを位置決め可能であれば、位置決め部を位置決め穴に挿入する構造以外の位置決め構造を用いてもよい。
【００６１】
また、上記実施形態では、ネジ部材によりベゼルと樹脂フレームとをリアフレームに共締めする例を示したが、本発明はこれに限らない。本発明では、ベゼルと樹脂フレームとをそれぞれ別個にリアフレームにネジ止めしてもよい。また、本発明では、ネジ部材により締結すること以外の手段を用いてベゼルと樹脂フレームとをリアフレームに固定してもよい。
【００６２】
同様に、上記実施形態では、ネジ部材によりヒートシンクをリアフレームにネジ止めする例を示したが、本発明はこれに限らない。本発明では、ネジ部材により締結すること以外の手段を用いてヒートシンクをリアフレームに固定してもよい。
【００６３】
また、上記実施形態では、リアフレーム（背面側保持部材）の開口からなる領域に基板取付部材およびカバー部材が配置された例を示したが、本発明はこれに限らない。本発明では、リアフレームに切欠きを形成し、その切欠きからなる領域に基板取付部材およびカバー部材を配置してもよい。
【符号の説明】
【００６４】
２  表示パネル
２ａ  表示部（表示セル）
４  リアフレーム（背面側保持部材、後部筐体）
４ａ  開口
４ｂ  凸部（第２凸部）
４ｃ  凹部
４ｄ  補強リブ
４ｆ  ヒートシンク位置決め部（放熱部材位置決め部）
４ｇ  ヒートシンクネジ止め部（放熱部材締結部）
４ｈ  位置決めリブ（位置決め部）
４ｉ  光学シート位置決め部（位置決め部）
４ｊ  ベゼルネジ止め部（ベゼル締結部）
５  基板取付部材
５ａ  絞り部（第１凸部）
５ｂ  側壁
６ａ  電源基板（回路基板）
６ｂ  信号処理基板（回路基板）
７  カバー部材（後部筐体）
８ａ  光源
９  ヒートシンク（放熱部材）
９ａ  位置決め穴（第２穴部）
１０  反射シート（光学部材）
１２  導光板（光学部材）
１３  光学シート（光学部材）
１３ａ  位置決め穴（第１穴部）
１４  樹脂フレーム
１５  ベゼル
１００  液晶テレビジョン装置（表示装置）
【図１】
2014107250.tif 000003
【図２】
2014107250.tif 000004
【図３】
2014107250.tif 000005
【図４】
2014107250.tif 000006
【図５】
2014107250.tif 000007
【図６】
2014107250.tif 000008
【図７】
2014107250.tif 000009
【図８】
2014107250.tif 000010
【図９】
2014107250.tif 000011
【図１０】
2014107250.tif 000012
【図１１】
2014107250.tif 000013
【図１２】
2014107250.tif 000014
【図１３】
2014107250.tif 000015
【図１４】
2014107250.tif 000016